(57)【要約】【課題】  木造家屋内に設置した鉄骨組立構造の耐震避難室を利用して、木造家屋自体を低コストで効果的に耐震補強することができる木造家屋の耐震補強構造を提供する。【解決手段】木造家屋一階の所定の部屋１Ａ内に設置した鉄骨組立構造の耐震避難室２の天井枠２Ｂを、上方周囲に縦横に配置されている胴差に複数の緊結金物を介して連結固定し、部屋１Ａに隣接する部屋１Ｂ、１Ｃの上方で縦横に配置されている胴差の各交差部の近傍に、火打兼用ブレース連結具１０を固定して部屋の対角方向に渡されたブレース１１を連結している。また、これらの部屋１Ｂ、１Ｃの周りに２本の柱が隣合って立設されている箇所Ｐでは、これらの柱間に矩形状の鋼製枠部の内側に矩形状の鋼板が溶接固定された筋交プレートを固定して補強している。【選択図】  図１
2014118801.tif 000002
【特許請求の範囲】
【請求項１】
木造家屋一階の少なくとも１つの部屋内のコンクリート基礎上に固定して設置された、直方体状の鉄骨組立構造を有する耐震避難室の矩形状天井枠の各辺と、前記部屋の上方周囲に縦横に配置されている胴差のそれぞれが、所定間隔で設けた複数の緊結金物を介して相互に連結固定されているとともに、
少なくとも、前記部屋に隣接する一つの部屋の４隅の柱に上方で連結されている縦横の胴差の各交差部の近傍にはそれぞれ、水平面内でＬ字形に直交するように一体に連結された一対の取付片と、これらの取付片に両端部が固定された火打梁と、これらの取付片間の下方に垂設されたブレース連結部からなる火打兼用ブレース連結具が設置され、
これらの火打兼用ブレース連結具は、一対の取付片のそれぞれが、対向する胴差の側面にコーチボルトで固定されているとともに、ブレース連結部が、当該部屋の上方でその対角方向に渡された各ブレースの端部と連結され、
少なくとも、ブレースが上方に渡されている部屋の周りに立設されている、一対の隣合う柱の間には、複数のかまちが上下方向に所定の間隔で固定されているとともに、
前記一対の柱と上下に対向するかまちで囲まれて形成されるそれぞれの矩形状空間内には、これらの矩形状空間に適合する矩形状の鋼製枠部を有し、その内側に矩形状の鋼板が溶接固定されてなる筋交プレートが嵌め込まれ、
これらの筋交プレートの鋼製枠部の４辺はそれぞれ、両側の柱と上下に対向するかまちの各側面に木ねじで複数箇所固定されていることを特徴とする木造家屋の耐震補強構造。
【請求項２】
隣合う柱間の最下部に配置される筋交プレートの鋼製枠部の下辺が固定されるかまちは、木造家屋の土台の上面に当接して配置され、前記鋼製枠部の下辺を前記かまちに固定している木ねじの少なくとも一部は、先端部が当該かまちを貫通して前記土台内まで螺入されていることを特徴とする請求項１に記載の木造家屋の耐震補強構造。
【請求項３】
緊結金物は、鋼鉄製の水平片と垂直片がＬ字形に連結された側面形状を有するとともに、前記水平片と垂直片間には直角三角形状の補強リブが溶接され、前記水平片には、これを耐震避難室の天井枠に固定する高張力ボルトの取付孔が形成されているとともに、前記垂直片には、これを耐震避難室が設置された部屋の上方周囲の胴差の側面に固定するコーチボルトの取付孔が形成されていることを特徴とする請求項１又は２に記載の木造家屋の耐震補強構造。
【発明の詳細な説明】
【技術分野】
【０００１】
本発明は、木造家屋内に設置した鉄骨組立構造の耐震避難室を利用した木造家屋の耐震補強構造に関する。
【背景技術】
【０００２】
近年、１９９５年１月１７日に発生した兵庫県南部地震によって引き起こされた阪神淡路大震災や、２０１１年３月１１日に発生した東北地方太平洋沖地震によって引き起こされた東日本大震災等、巨大地震による大災害が発生している。
【０００３】
前述したような巨大地震の発生時においては、特に、老朽化した木造家屋は、震動による過大な負荷に耐えられずに倒壊して多数の死者や負傷者が出たり、大切な家財を逸失するといった問題が発生している。
【０００４】
そこで、このような問題を解決するべく、従来より様々な提案がなされており、例えば、特許文献１には、既設家屋の所望の室内に、隣室等に開口する開口部を有する頑丈な鉄骨組立構造の耐震避難室を組み込み、地震発生時には、前記開口部から当該耐震避難室へ避難して、家屋が倒壊や損壊した際に、落下物の下敷きになることを回避しようとする提案がなされている。
【先行技術文献】
【特許文献】
【０００５】
【特許文献１】登録実用新案３０２５９８６号公報
【０００６】
図１３は、このような鉄骨組立構造の耐震避難室を組み込んだ既設の家屋の一例を示す分解斜視図であって、同図に示すように、耐震避難室Ａ１は、家屋Ｈの一階の所望の室内に設置されるものであり、鉄骨で組まれた土台Ａ２や支柱Ａ３、梁Ａ４等によって直方体状に枠組みされていて、格子状に組まれた梁Ａ４には、地震発生時に上方からの落下物を防ぐために、多数の鋼板製の天井パネルＡ５が取り付けられている。
【０００７】
前記耐震避難室Ａ１の内部は、平常時は居室として日常生活に使用できるように、床板Ｆや内壁Ｗ等の内装が施され、また、この耐震避難室Ａ１の前後左右の各側面には、家屋Ｈの隣室や躯体壁Ｂに設けられた外窓等と連絡する矩形状の開口部Ａ６がそれぞれ設けられている。
【０００８】
また、この耐震避難室Ａ１は、これが設置される家屋Ｈの室内の床板や、根太等を撤去して、その床下に図示されていない鉄筋入りのコンクリート基礎を形成して、この基礎の上にそれぞれの支柱Ａ３の下端を固定してある。
【発明の概要】
【発明が解決しようとする課題】
【０００９】
前述したような耐震避難室を組み込んだ木造家屋は、大地震の発生時に、堅牢な鉄骨組立構造の耐震避難室内部は安全が確保されるものの、家屋自体は損壊したり倒壊する虞があり、高齢者や身体障害者等が他の居室から耐震避難室に逃げ遅れた場合には、生命の危険が生じたり、また、居室内に置かれていた高価な家財等が天井等の落下によって破壊される虞があった。
【００１０】
そこで、本発明は、前述したような従来技術における問題を解消し、木造家屋に大幅な改修工事を行う必要が無く、木造家屋内に設置した鉄骨組立構造の耐震避難室を利用して、木造家屋自体を低コストで効果的に耐震補強することができる木造家屋の耐震補強構造を提供することを目的とする。
【課題を解決するための手段】
【００１１】
前記目的のために提供される本発明の木造家屋の耐震補強構造は、木造家屋一階の少なくとも１つの部屋内のコンクリート基礎上に固定して設置された、直方体状の鉄骨組立構造を有する耐震避難室の矩形状天井枠の各辺と、前記部屋の上方周囲に縦横に配置されている胴差のそれぞれが、所定間隔で設けた複数の緊結金物を介して相互に連結固定されていることを１つの特徴としている。
【００１２】
また、少なくとも、前記部屋に隣接する一つの部屋の４隅の柱に上方で連結されている縦横の胴差の各交差部の近傍にはそれぞれ、水平面内でＬ字形に直交するように一体に連結された一対の取付片と、これらの取付片に両端部が固定された火打梁と、これらの取付片間の下方に垂設されたブレース連結部からなる火打兼用ブレース連結具が設置され、これらの火打兼用ブレース連結具は、一対の取付片のそれぞれが、対向する胴差の側面にコーチボルトで固定されているとともに、ブレース連結部が、当該部屋の上方でその対角方向に渡された各ブレースの端部と連結されていることも特徴としている。
【００１３】
さらにまた、少なくとも、ブレースが上方に渡されている部屋の周りに立設されている、一対の隣合う柱の間には、複数のかまちが上下方向に所定の間隔で固定されているとともに、前記一対の柱と上下に対向するかまちで囲まれて形成されるそれぞれの矩形状空間内には、これらの矩形状空間に適合する矩形状の鋼製枠部を有し、その内側に矩形状の鋼板が溶接固定されてなる筋交プレートが嵌め込まれ、これらの筋交プレートの鋼製枠部の４辺はそれぞれ、両側の柱と上下に対向するかまちの各側面に木ねじで複数箇所固定されていることも特徴としている。
【００１４】
本発明の木造家屋の耐震補強構造においては、隣合う柱間の最下部に配置される筋交プレートの鋼製枠部の下辺が固定されるかまちは、木造家屋の土台の上面に当接して配置され、前記鋼製枠部の下辺を前記かまちに固定している木ねじの少なくとも一部は、先端部が当該かまちを貫通して前記土台内まで螺入されていることが望ましい。
【００１５】
また、本発明の木造家屋の耐震補強構造においては、緊結金物は、鋼鉄製の水平片と垂直片がＬ字形に連結された側面形状を有するとともに、前記水平片と垂直片間には直角三角形状の補強リブが溶接され、前記水平片には、これを耐震避難室の天井枠に固定する高張力ボルトの取付孔が形成されているとともに、前記垂直片には、これを耐震避難室が設置された部屋の上方周囲の胴差の側面に固定するコーチボルトの取付孔が形成されていることも望ましい。
【発明の効果】
【００１６】
請求項１に記載された発明に係る木造家屋の耐震補強構造によれば、既設の木造家屋の内部に組み込んだ耐震避難室を耐震補強構造の一部として利用しているため、木造家屋に大幅な改修工事を行う必要が無く、低コストで短期間に効果的な耐震補強構造を実現することができる。
【００１７】
また、本発明の耐震補強構造によれば、耐震避難室が組み込まれている部屋の４隅に設置されている柱間にそれぞれ縦横に渡されている胴差のそれぞれが、複数の緊結金物を介してコンクリート基礎上に固定して設置されている鉄骨組立構造の耐震避難室の天井枠に連結されているため、地震発生時において当該部屋周囲の柱や胴差の揺れを抑えることができる。そのため、特に、上階が剛床構造になっていない古い木造家屋においては、極めて有効な耐震補強効果が得られる。
【００１８】
また、耐震避難室が設置されている部屋に隣接して、火打兼用ブレース連結具が配置され、対向する火打兼用ブレース連結具間にブレースが掛け渡されている部屋は、上方周囲に縦横に配置されている胴差相互間が４隅に配置されている火打兼用ブレース連結具とそれぞれの火打ち兼用ブレース連結具間に連結されているブレースによって一体化され、しかも一つの胴差は、耐震避難室の天井枠に緊結金物を介して連結固定されているため、震動による縦横の胴差間の角度変位を効果的に抑制することができる。
【００１９】
さらに、少なくとも、ブレースが上方に渡されている部屋も周りの一対の隣合う柱の間に設置されている筋交プレートによって、これらの柱が補強されて壁面の剛性を高めることができるため、震動による部屋の横揺れやねじれ等を抑制することができる。
【００２０】
請求項２に記載された発明に係る木造家屋の耐震補強構造によれば、隣合う柱間の最下部に配置される筋交プレートの鋼製枠部の下辺をかまちに固定するねじ部材の少なくとも一部の先端部が、当該かまちを貫通して土台に螺入されているため、地震発生時に、これらの柱の震動による土台からの抜け出しを防ぐことができ、木造家屋の耐震性をさらに高めることができる。
【００２１】
請求項３に記載された発明に係る木造家屋の耐震補強構造によれば、緊結金物が、鋼鉄製の水平片と垂直片をＬ字形に連結した側面形状とし、水平片と垂直片間には直角三角形状の補強リブが溶接されているため、耐震避難室の天井枠より高い位置に設けられている胴差に作用する震動による加振力を、緊結金物を介して堅固な耐震避難室の天井枠で確実に受けることができる。また、緊結金物の構造が簡単であるため、耐震避難室の設置状況等に応じて、最適な寸法の水平片と垂直片を容易に低コストで製作することができる。
【図面の簡単な説明】
【００２２】
【図１】本発明の木造家屋の耐震補強構造の１実施形態を示す、耐震補強された木造家屋一階内部の平面図である。
【図２】本発明の木造家屋の耐震補強構造の１実施形態における耐震避難室が組み込まれている部屋の縦断面図である。
【図３】本発明の木造家屋の耐震補強構造の１実施形態において用いられる緊結金物の形状を示す斜視図である。
【図４】耐震避難室の天井枠への緊結金物の取付状態を示す部分側面図である。
【図５】耐震避難室の天井枠への緊結金物の取付状態を示す部分平面図である。
【図６】本発明の木造家屋の耐震補強構造の１実施形態において用いられる火打兼用ブレース連結具の斜視図である。
【図７】本発明の木造家屋の耐震補強構造の１実施形態において用いられる火打兼用ブレース連結具の平面図である。
【図８】本発明の木造家屋の耐震補強構造の１実施形態において用いられる火打兼用ブレース連結具を裏側から見た斜視図である。
【図９】図７のＡ−Ａ断面を示す図である。
【図１０】本発明の木造家屋の耐震補強構造の１実施形態において用いられる筋交プレートの取付構造を示す側面図である。
【図１１】図１０のＢ−Ｂ断面を示す図である。
【図１２】本発明の木造家屋の耐震補強構造の１実施形態において用いられる筋交プレートの詳細構造を示す部分断面図である。
【図１３】鉄骨組立構造の耐震避難室を組み込んだ家屋の一例を示す分解斜視図である。
【発明を実施するための形態】
【００２３】
以下、図面に基づいて、本発明の実施形態を説明する。
図１は、本発明の１実施形態を示す、耐震補強構造を備えた木造家屋の一階内部の平面図であって、同図に示す木造家屋１は２階建てであり、一階中央の部屋１Ａの内部には、前述した図１３に示すものと同様な直方体状の鉄骨組立構造の耐震避難室２が設置されている。
【００２４】
前記耐震避難室２は、図２に示すように、部屋１Ａの既設の床板を撤去して、その床下に形成したコンクリート基礎３の上に複数のアンカーボルト３Ａで固定して設置されている。
【００２５】
また、耐震避難室２の４隅に配置されている鉄骨柱２Ａの上部には、複数のＨ形鋼の鉄骨梁で矩形状に組まれた天井枠２Ｂが設けられており、図１に示すように、前記天井枠２Ｂの内側には、複数の鋼板製の天井パネル２Ｃが取り付けられている。
【００２６】
前記天井枠２Ｂの各辺にはそれぞれ、図２に示すように、緊結金物４が所定の間隔で複数取り付けられていて、これらの緊結金物４を介して天井枠２Ｂの各辺と、部屋１Ａの上方４隅の柱５の間に縦横に渡されている胴差６、６’のそれぞれが相互に連結固定されている。
【００２７】
図３に示すように、緊結金物４は、鋼鉄製の水平片４Ａと垂直片４ＢがＬ字形に連結された側面形状を有するとともに、これらの水平片４Ａと垂直片４Ｂ間には、これらの幅方向の中央部に、直角三角形状の補強リブ４Ｃが溶接されている。また、水平片４Ａと垂直片４Ｂにはそれぞれ、補強リブ４Ｃを間に挟んで２つずつ取付孔４Ｄ、４Ｅが形成されている。
【００２８】
耐震避難室２の天井枠２Ｂの、緊結金物４の取付位置には水平片４Ａの取付孔４Ｄに対向させて図示しない取付孔が形成されていて、各緊結金物４は、図４及び図５に示すようにこれらの取付孔に高張力ボルト７を通してナット８を装着することにより天井枠２Ｂに固定されているとともに、垂直片４Ｂの取付孔４Ｅに通したコーチボルト９によって、対向する胴差６、６’の側面に固定されている。
【００２９】
なお、本実施形態のものにおいては、水平片４Ａの取付孔４Ｄは長孔に形成され、緊結金物４の天井枠２Ｂに対する取付位置を天井枠２Ｂを構成するＨ形鋼の長手方向と直交方向に進退調整できるようにしてある。
【００３０】
このような構造により、耐震避難室２が設置されている部屋１Ａの上方の周囲に縦横に配置されている胴差６、６’は、耐震避難室２と緊結金物４を介して一体に連結されているため、地震発生時には、これらの胴差６、６’の揺れや相互間の角度変位がコンクリート基礎３上に堅固に固定設置されている耐震避難室２によって抑制されて、木造家屋の耐震性を高めることができる。
【００３１】
なお、この実施形態においては、図１に示すように、耐震避難室２の設置されている部屋１Ａは、居住者が常時在室している頻度が高い、居室の部屋１Ｂとダイニングキッチンの部屋１Ｃの間に配置されていて、地震発生時には、いずれの部屋１Ｂ、１Ｃからも耐震避難室２内へ直ちに避難できるようにしてある。
【００３２】
これらの部屋１Ｂ、１Ｃの上方４隅の柱の間に縦横に渡されている胴差の各交差部近傍にはそれぞれ、火打兼用ブレース連結具１０が設けられており、これらの火打兼用ブレース連結具１０には各々、ブレース１１の一端が連結されている。これらのブレース１１の他方の端部は、各部屋１Ｂ、１Ｃの中央部上方位置で、連結環１２に連結されている。
【００３３】
ここで用いられている火打兼用ブレース連結具１０は、全て同一構造であり、図６及び図７に示すように、水平面内で略Ｌ字形に直交するように連結された一対の取付片１０Ａ、１０Ｂと、これらの取付片１０Ａ、１０Ｂ間に斜めに固定された火打梁１０Ｃと、これらの取付片１０Ａ、１０Ｂ間の下方に、支持板１０Ｄを介して垂設されたブレース連結部１０Ｅから構成されている。
【００３４】
これらの取付片１０Ａ、１０Ｂは、同じ長さの山型鋼で形成されており、斜め４５度に切断加工されたそれぞれの一端側どうしを突き合わせて溶接してあり、それぞれの垂直片には図８に示すように、複数のボルト孔１０Ｆが形成されている。
【００３５】
これらのボルト孔１０Ｆには、図６に示すように、コーチボルト１３が差し込まれ、それぞれの取付片１０Ａ、１０Ｂを、柱５と直交する胴差６の側面にこれらのコーチボルト１３で固定することで、両方の胴差６と火打兼用ブレース連結具１０どうしが一体的に連結固定されるようにしてある。
【００３６】
火打梁１０Ｃは、横断面が上下に扁平な矩形状の角形鋼管の両端面を斜め４５度に切断加工して形成されており、両端近傍の下面を、取付片１０Ａ、１０Ｂのそれぞれの水平片の上面に当接し、両端面をそれぞれの垂直片に当接した状態で、これらの取付片１０Ａ、１０Ｂに溶接されている。
【００３７】
また、支持板１０Ｄは、図８に示すように、直角２等辺三角形状の鋼板で形成されており、その直角な角部を２つの取付片１０Ａ、１０Ｂどうしの直角な接合部の縁に合わせて、それぞれの取付片１０Ａ、１０Ｂの水平片の下面に溶接固定されている。
【００３８】
また、ブレース連結部１０Ｅは、図８及び図９に示すように、幅の狭い帯状鋼板を側面視Ｚ字状折り曲げて形成した上下２つの水平部１０Ｅａ、１０Ｅｂと、これらの水平部１０Ｅａ、１０Ｅｂ間を連結する垂直部１０Ｅｃと、水平部１０Ｅａ、１０Ｅｂとそれぞれ等しい長さの平行な上辺と下辺を有する、左右一対の４辺形状の側板１０Ｅｄから構成されていて、これらの側板１０Ｅｄの内側の面はそれぞれ、上下２つの水平部１０Ｅａ、１０Ｅｂと垂直部１０Ｅｃの両側の端縁に溶接されている。
【００３９】
図８に示すように、ブレース連結部１０Ｅの下方の水平部１０Ｅｂには、ブレース１１を連結するための取付孔１０Ｅｅが形成されている。ブレース１１は、上下に扁平な矩形断面を有する平鋼で製作されており、図９に示すように、その一端部に形成された取付孔１１Ａと前記取付孔１０Ｅｅを合わせて高張力ボルト１４を貫通させてナット１５を装着することにより、前記水平部１０Ｅｂの下面に固定している。
【００４０】
ブレース１１の火打兼用ブレース連結具１０に連結される端部と反対側の端部には、図６に示すように先端部にねじが形成されている鋼鉄製のねじ棒１１Ｂが溶接固定されていて、これらのねじ棒１１Ｂの先端部は、連結環１２の周囲４箇所にそれぞれ形成されている図示していない取付孔を貫通させて、連結環の内周側でダブルナット１６を螺着して連結環に対して抜け止めされている。
【００４１】
図１に示すように、部屋１Ｂ、１Ｃの４隅の配置されている火打兼用ブレース連結具１０と連結されているそれぞれのブレース１１は、火打兼用ブレース連結具１０どうしの対角線上に位置するように、連結環に対するそれぞれのねじ棒１１の連結位置を軸方向にダブルナット１６を回動させて調整して適正位置に固定する。
【００４２】
なお、ダブルナット１６の調整は、各火打兼用ブレース連結具１０側の高張力ボルト１４とナット１５を少しだけ緩めた状態で行い、調整終了後に、高張力ボルト１４とナット１５を確実に締め付け固定する。
【００４３】
なお、火打兼用ブレース連結具１０は、ブレース１１を連結する位置を、２つの取付片１０Ａ、１０Ｂの取付位置よりも下位に設けているため、これらの部屋１Ｂ、１Ｃの中央に、取付片１０Ａ、１０Ｂよりも下端面が低い位置にある梁が設けられている場合においても、その梁の下方にブレース１１を渡すことが可能である。
【００４４】
また、図１において、耐震避難室２のある部屋１Ａの両側に隣接している部屋１Ｂ、１Ｃの、それぞれ斜線で表している箇所Ｐには、以下に説明する筋交プレートが組み込まれて補強されている。
【００４５】
図１０及び図１１に示すように、筋交プレート１７は、これらの箇所にそれぞれ隣合って立設されている一対の柱５と、これらの柱５の間に上下方向に所定の間隔で取り付けた、かまち１８Ａ、１８Ｂ、１８Ｃ、１８Ｄによって、これらの間に形成される３つの矩形状空間内にそれぞれ嵌め込まれている。
【００４６】
図１２に示すように、これらの筋交プレート１７は、全て同じサイズの矩形状の鋼製枠部１７Ａを有し、その内側に矩形状の鋼板１７Ｂが溶接固定されて構成されている。なお、本実施形態のものにおいては、鋼製枠部１７Ａは、山型鋼どうしを溶接して矩形状に組み立てており、その各辺には、所定間隔で複数の取付孔１７Ｃが形成されている。
【００４７】
図１０及び図１１に示すように、これらの筋交プレート１７は、鋼製枠部１７Ａの４辺がそれぞれ、両側の柱５及び、かまち１８Ａ、１８Ｂ、１８Ｃ、１８Ｄの各々の対向面に、前記取付孔１７Ｃに木ねじ２０、２１を通して固定してある。
【００４８】
また、最下部のかまち１８Ａは、土台１９の上面に当接しており、また、最上部のかまち１８Ｄは、胴差６の下面に当接している。なお、既設の土台１９と胴差６の上下間隔に応じて、各かまち１８Ａ、１８Ｂ、１８Ｃ、１８Ｄの上下幅を選択するとともに、柱５間のそれぞれの取付高さを設定する。
【００４９】
また、図１０に示すように、本実施形態のものにおいては、最下部に配置されている筋交プレート１７の鋼製枠部１７Ａの下辺の両端付近をかまち１８Ａに固定している一部の木ねじ２１は、他の木ねじ２０よりさらに長寸のものが用いられており、これらの木ねじ２１先端部は、当該かまち１８Ａを貫通して土台１９の中に深く螺入されている。
【００５０】
このような構造により、両側の柱５は、筋交プレート１７を介して土台１９からの抜け出しが抑止されるため、地震発生時における耐震性がより高められている。
なお、最下部の筋交プレート１７の鋼製枠部１７Ａの下辺には、全て長寸の木ねじ２１を用いてもよく、また、これらの長寸の木ねじ２１は、同様にして、最上部に配置されている筋交プレート１７の鋼製枠部１７Ａの上辺に用い、かまち１８Ｄを貫通させて胴差６の中まで螺入させるようにしてもよい。
【００５１】
本発明は、以上に説明した実施形態のものに限定するものではなく、少なくとも、耐震避難室が組み込まれている部屋に隣接する１つの部屋が、図１に示す部屋１Ｂ、１Ｃのように上方の４隅に火打兼用ブレース連結具を配置して、これらの間にブレースが渡され、且つ、その部屋の周囲の少なくとも１箇所の隣合う柱間に筋交プレートが設置されていればよい。
【００５２】
また、火打兼用ブレース連結具やブレース、筋交プレートの設置箇所は、図１に示す部屋１Ｂ、１Ｃのように、耐震避難室２が設置されている部屋１Ａと隣接している部屋のみに限定するものではなく、例えば２階等の耐震避難室に隣接していない部屋にも、必要に応じて設置してもよい。
【００５３】
なお、木造家屋に本発明の耐震補強構造を施す工事は、既設の木造家屋内に耐震避難室を設置する工事と同時でも設置の完了後でも何れも可能であり、さらに、木造家屋の新築時に同時に行うことも可能である。
【産業上の利用可能性】
【００５４】
本発明の木造家屋の耐震補強構造は、一階の少なくとも１つの部屋内に、鉄骨組立構造の耐震避難室が設置された住宅等の木造家屋の効果的な耐震補強を低コストで実現できる耐震補強構造として広く利用可能である。
【符号の説明】
【００５５】
１                  木造家屋
１Ａ、１Ｂ、１Ｃ    部屋
２                  耐震避難室
２Ａ                鉄骨柱
２Ｂ                天井枠
２Ｃ                天井パネル
３                  コンクリート基礎
３Ａ                アンカーボルト
４                  緊結金物
４Ａ                水平片
４Ｂ                垂直片
４Ｃ                補強リブ
４Ｄ                取付孔
５                  柱
６、６’            胴差
７                  高張力ボルト
８                  ナット
９                  コーチボルト
１０                  火打兼用ブレース連結具
１０Ａ、１０Ｂ        取付片
１０Ｃ                火打梁
１０Ｄ                支持板
１０Ｅ                ブレース連結部
１０Ｅａ、１０Ｅｂ    水平部
１０Ｅｃ              垂直部
１０Ｅｄ              側板
１０Ｅｅ              取付孔
１１                  ブレース
１１Ａ                取付孔
１１Ｂ                ねじ棒
１２                  連結環
１３                  コーチボルト
１４                  高張力ボルト
１５                  ナット
１６                  ダブルナット
１７                  筋交プレート
１７Ａ                鋼製枠部
１７Ｂ                鋼板
１７Ｃ                取付孔
１８Ａ、１８Ｂ、１８Ｃ、１８Ｄ  かまち
１９                  土台
２０、２１            木ねじ
【図１】
2014118801.tif 000003
【図２】
2014118801.tif 000004
【図３】
2014118801.tif 000005
【図４】
2014118801.tif 000006
【図５】
2014118801.tif 000007
【図６】
2014118801.tif 000008
【図７】
2014118801.tif 000009
【図８】
2014118801.tif 000010
【図９】
2014118801.tif 000011
【図１０】
2014118801.tif 000012
【図１１】
2014118801.tif 000013
【図１２】
2014118801.tif 000014
【図１３】
2014118801.tif 000015
【手続補正書】
【提出日】平成24年12月20日(2012.12.20)
【手続補正１】
【補正対象書類名】図面
【補正対象項目名】図９
【補正方法】変更
【補正の内容】
【図９】
2014118801.tif 000016